(57)【要約】【課題】ドアの開閉方向にかかわらず、同じドアストッパを使用できるようにすること。【解決手段】ビルトイン型のドアストッパにおいて、係止部材２の係止部本体６にラック９を形成するとともに、この係止部本体６を収納する筐体７にラック９と噛み合うギア１０を設ける。このギア１０は、軸方向に２分割され、筐体７の対向する両側面から水平に挿し込まれるとともに、この筐体７内で一体に連結されており、前記両側面のいずれの側からも軸周りに回転することができるようになっている。このため、この係止部材２をドアＤの内部に嵌め込んだ際に、ドアＤの開閉方向にかかわらず少なくとも一方の側からギア１０を回転させることができ、ドアストッパの左右共通化を図ることができる。【選択図】図２
2014001544.tif 000002
【特許請求の範囲】
【請求項１】
床、天井又は壁面に取り付けられてドア面に臨むストッパ部（１）と、ドア（Ｄ）の内部に設けられる係止部材（２）とからなり、
前記係止部材（２）は、前記ストッパ部（１）に起伏自在に設けたストッパ本体（４）に係止される係止部本体（６）と、この係止部本体（６）を収納して前記ドア（Ｄ）の内部に嵌め込まれる筐体（７）と、この筐体（７）に対して前記係止部本体（６）を上下動させる高さ調節機構（８）とを備え、
前記高さ調節機構（８）は、前記係止部本体（６）に設けたラック（９）と、前記筐体（７）に設けたギア（１０）とから構成され、前記ギア（１０）は、その軸の両端のいずれの側からも軸周りに回転可能となっており、この係止部本体（６）を収納した筐体（７）を前記ドア（Ｄ）に取り付け、前記ギア（１０）をそのいずれか一端側から回転させて、係止部本体（６）の高さ調節を行い得るようにしたドアストッパ。
【請求項２】
前記筐体（７）に、前記ギア（１０）と噛み合ってこのギア（１０）が不用意に回転するのを防止するロック部（１１）を形成した請求項１に記載のドアストッパ。
【発明の詳細な説明】
【技術分野】
【０００１】
この発明は、ドアを所定の開放位置において開閉不能に係止するビルトイン型のドアストッパに関する。
【背景技術】
【０００２】
ドアストッパは、ドアを所定の開放位置において開放状態に保ち、風等によって不用意に閉じないようにする際に用いられる。このドアストッパとして、床、天井又は壁面に取り付けられて扉面に臨むストッパ本体と、このストッパ本体を係止する係止部材とから構成されるものがよく用いられている。この係止部材には、ドアのドア面に設けるタイプのものと、ドアの底面側や木口側に埋め込み用の穴を形成してこの穴に設けるタイプ（ビルトイン型）のものがある。
【０００３】
このビルトイン型のドアストッパとして、例えば特許文献１に示すものがある。このドアストッパは、床面に取り付けられる床取付部材（ストッパ部）と、この床取付部材に係止される扉埋設部材（係止部材）とから構成される。床取付部材には、起伏自在に被係止部材が設けられている。この被係止部材は、ドア（あるいは扉埋設部材）が床取付部材から離れているときは、床面に伏せた状態となっている。そして、このドアが回動して扉埋設部材が床取付部材に近付くと、扉埋設部材に設けられたマグネットの磁力によって、この被係止部材が起立する。すると、起立した被係止部材が、扉埋設部材の係止爪によって係止されて、このドアを所定の開放位置で開放状態とすることができる。
【０００４】
扉埋設部材には、被係止部材等から構成されるマグネット保持部材の上下方向位置を調節するための調節ボルトが設けられている。この調節ボルトを回して、床面（あるいは床取付部材）とドア（あるいは扉埋設部材）との間の隙間の大きさを適切に調節することで、マグネットによる被係止部材の起立及び係止爪による被係止部材の係止を、スムーズかつ確実に行うことができる。
【先行技術文献】
【特許文献】
【０００５】
【特許文献１】特開２００７−２３７３４号公報
【発明の概要】
【発明が解決しようとする課題】
【０００６】
特許文献１に係るドアストッパは、調節ボルトのねじ込みによって水平移動部材が水平移動し、この水平移動部材に形成した斜めのスリットを、マグネット保持部材のシャフトがスライドすることによって、このマグネット保持部材上下方向の位置調節がなされているため、この調節ボルトは前記水平移動の一方側にしか設けることができない。すなわち、ドアの開閉方向（右開き又は左開き）によって、右仕様又は左仕様のドアストッパをそれぞれ用意して適宜使い分けなければならない。また、ドアストッパの製造に際して、右仕様と左仕様のそれぞれについて生産管理を行う必要があり、その管理の効率面でも問題がある。
【０００７】
そこで、この発明は、ドアの開閉方向にかかわらず、同じドアストッパを使用できるようにすることを課題とする。
【課題を解決するための手段】
【０００８】
上記の課題を解決するため、この発明は、床、天井又は壁面に取り付けられてドア面に臨むストッパ部と、ドアの内部に設けられる係止部材とからなり、前記係止部材は、前記ストッパ部に起伏自在に設けたストッパ本体に係止される係止部本体と、この係止部本体を収納して前記ドアの内部に嵌め込まれる筐体と、この筐体に対して前記係止部本体を上下動させる高さ調節機構とを備え、前記高さ調節機構は、前記係止部本体に設けたラックと、前記筐体に設けたギアとから構成され、前記ギアは、その軸の両端のいずれの側からも軸周りに回転可能となっており、この係止部本体を収納した筐体を前記ドアに取り付け、前記ギアをそのいずれか一端側から回転させて、係止部本体の高さ調節を行い得るようにドアストッパを構成した。
【０００９】
このように、ギアをその軸の両端のいずれの側からも軸周りに回転し得るようにすることによって、ドアの開き方向にかかわらず、ドアストッパの共通化を図ることができる。このため、作業現場において、ドアの左右開きの変更が生じた場合でも、その変更にすぐに対応できる。また、ドアストッパの製造工程において、開閉方向ごとの生産管理を行う必要がないため、その管理コストの削減を図ることができる。
【００１０】
前記構成においては、前記筐体に、前記ギアと噛み合ってこのギアが不用意に回転するのを防止するロック部を形成するのが好ましい。
【００１１】
本願の構成においては、ギアの軸の両端いずれの側からも回転操作（高さ調整操作）を行い得るようにすべく、ギアとラックが左右対称になるように配置するのが一般的である。この場合、ギアとラックの噛み合いをスムーズに行うために、ギアの回転軸を水平にするとともに、ラックを係止部本体の上下方向に設ける（歯を横向きとする）のが好ましい。例えば引用文献１に示した構成では、水平移動部材に対してマグネット保持部材が斜め方向にスライドするため、斜め方向に当接する水平移動部材とマグネット保持部材が摺動して、その摩擦力によってこれらが不用意にスライドするのを防止できる。
【００１２】
これに対して、ギアの回転軸を水平とするとともに、ラックを上下方向に設けた場合、係止部本体の自重でギアが不用意に回転しやすく、一旦調節した高さがずれてしまう恐れがある。そこで、係止部本体を収納する筐体にロック部を形成して、このロック部がギアに噛み合うようにすることによって、係止部本体の高さが自重によって不用意にずれるのを防止することができる。
【発明の効果】
【００１３】
この発明は、ドアストッパにおいて、係止部本体の上下方向の高さ調節を行う高さ調節機構のギアを、その軸方向の両端側から回転し得るようにしたので、ドアの開き方向にかかわらず、ドアストッパの共通化を図ることができる。このため、作業現場においてドアの左右開きの変更が生じた場合でも、その変更にすぐに対応できるとともに、ドアストッパの製造工程において、開閉方向ごとの生産管理を行う必要がなく、その管理コストの削減を図ることができる。
【図面の簡単な説明】
【００１４】
【図１】本願発明に係るドアストッパの係止状態を示す斜視図
【図２】図１に示すドアストッパの係止部材の分解斜視図
【図３】図２に示す係止部材の要部縦断面図
【図４】図１に示すドアストッパを示し、（ａ）は縦断面図、（ｂ）は（ａ）のｂ−ｂ線に沿う断面図、（ｃ）は（ａ）のｃ−ｃ線に沿う断面図
【発明を実施するための形態】
【００１５】
この発明に係るドアストッパを図１から図４に示す。このドアストッパは、床に取り付けられるストッパ部１と、ドアＤの底面側に形成された埋め込み用の穴からドアＤ内に埋め込まれた係止部材２とから構成されるビルトイン型のドアストッパである（図１を参照）。この係止部材２がストッパ部１によって係止されることによって、ドアＤが所定の開放位置で開閉不能に固定される。
【００１６】
ストッパ部１は、ベース部３とストッパ本体４とを備え、ベース部３に対してストッパ本体４が、ドア面に臨むように起伏自在に設けられている。ストッパ本体４は鉄等の磁性体材料からなり、ドア面に臨む先端には、下方側に丸め込まれた掛かり部５が形成されている。ドアＤの開放を待ち受ける待機状態において、このストッパ本体４はベース部３に収納された状態（床に伏せた状態）となっている。
【００１７】
係止部材２は、係止部本体６と、この係止部本体６を収納してドアＤの内部に嵌め込まれる筐体７と、この筐体７に対して係止部本体６を上下動させる高さ調節機構８とを備えている。この高さ調節機構８は、後述する一方の分割ケーシングに形成されたラック９と、筐体７に設けられてラック９と噛み合うギア１０とによって構成され（図３を参照）、このギア１０をドアＤに形成した調節用孔Ｈ（図４（ａ）を参照）を通して調節することによって、筐体７下部からの係止部本体６の突出量（ストッパ部１と係止部材２との間の隙間の大きさ）を調節するようになっている。この突出量を適切に調節することによって、後述するストッパ本体４の起立をスムーズに行うとともに、このストッパ本体４による係止部本体６の係止を確実に行うことができる。
【００１８】
このギア１０は軸方向に２分割され、筐体７の対向する両側面から水平に挿し込まれるとともに、この筐体７内で一体に連結されている。そして、前記両側面のいずれの側からも軸周りに回転することができるようになっている（図２を参照）。このため、この係止部材２をドアＤの内部に嵌め込んだ際に、ドアＤの開閉方向にかかわらず少なくとも一方の側からギア１０を回転させることができ、ドアストッパの左右共通化を図ることができる。
【００１９】
筐体７にはロック部１１が形成されている（図３を参照）。このロック部１１は、ギア１０と噛み合ってこのギア１０が係止部本体６の自重等によって不用意に回転するのを防止する作用を有している。このロック部１１の周りには複数のスリット１２が形成されており、このスリット１２の作用によって、ギア１０とロック部１１が当接した際に、このロック部１１が比較的容易に弾性変形することができる。このため、ギア１０の不用意な回転を防止しつつ、そのスムーズな回転操作が可能となっている。
【００２０】
係止部本体６は、２分割式の分割ケーシング１３ａ、１３ｂ内に、水平軸周りに回動するラッチ部１４と、ラッチ部１４をストッパ本体４の係止方向に付勢するねじりコイルばね１５と、ストッパ本体４を引き起こす磁石１６とを収納したものである。
【００２１】
一方の分割ケーシング１３ａの内側にはハートカム１７が形成されるとともに（図４（ｃ）を参照）、その上部にはギア１０と噛み合うラック９が形成されている。
【００２２】
他方の分割ケーシング１３ｂには、支持軸（図示せず）と、弧状のガイド溝（図示せず）が形成されている。この支持軸に、ねじりコイルばね１５が設けられ、その一端側は分割ケーシング１３ｂ内で固定され、他端側はラッチ部１４の付勢軸（図示せず）に当接して、このラッチ部１４をストッパ本体４のロック方向（後述するラッチ部１４の爪部１８とストッパ本体４とが近付く方向）に付勢している（図４（ｂ）を参照）。両分割ケーシング１３ａ、１３ｂを対向して一体化すると、ハートカム１７とねじりコイルばね１５との間にラッチ部１４が配置される。
【００２３】
ラッチ部１４は上下方向に長い棒状をしており、その下端側にストッパ本体４を固定する鈎状の爪部１８が形成されるとともに、上端側にこのラッチ部１４の長さ方向に沿う長孔１９が形成されている。爪部１８と長孔１９の間には、ねじりコイルばね１５からの付勢力を受けて、ラッチ部１４を回動する回動軸（図示せず）が設けられている。付勢軸は、分割ケーシングのガイド溝内に挿し込まれていて、このガイド溝に沿ってガイドされる。また、長孔１９には摺動軸２０が設けられ、この摺動軸２０がハートカム１７のカム溝に沿って移動する。そして、この摺動軸２０の移動に伴って、ラッチ部１４が回動軸周りに回動する。
【００２４】
このドアストッパの作用について簡単に説明する。ドアＤの待ち受け状態において、このドアＤを開放方向に回動すると、磁石１６によってストッパ本体４が吸着されて起立状態となるとともに、摺動軸２０がハートカム１７のロック位置まで移動するとともに、ストッパ本体４の掛かり部５が爪部１８と分割ケーシング１３ａ、１３ｂとの間に挟まれてロック状態となる（図４（ｃ）を参照）。このロック状態において、ドアＤをその開放方向に少し押し込むと、掛かり部５が爪部１８から外れて、ロック状態が解除される。
【００２５】
この構成においては、係止部本体６の一方の分割ケーシング１３ａ側にラック９を形成し、係止部材２の筐体７にギア１０を設けたが、筐体７に対し係止部本体６を上下動させることができる限りにおいて、ラック９及びギア１０の配置を適宜変更することもできる。
【００２６】
このビルトイン型のドアストッパは、上記の実施形態に示したようにドアＤの底面側から埋め込む形式だけでなく、ドアの回動端部（木口）側から埋め込む形式にも適用することもできる。この場合も、ドアＤの回動端部からギア１０の回転を行うことができ、ドアＤの開閉方向と関係なくドアストッパの共通化を図ることができるためである。
【符号の説明】
【００２７】
１  ストッパ部
２  係止部材
３  ベース部
４  ストッパ本体
５  掛かり部
６  係止部本体
７  筐体
８  高さ調節機構
９  ラック
１０  ギア
１１  ロック部
１２  スリット
１３ａ  一方の分割ケーシング
１３ｂ  他方の分割ケーシング
１４  ラッチ部
１５  ねじりコイルばね
１６  磁石
１７  ハートカム
１８  爪部
１９  長孔
２０  摺動軸
Ｄ  ドア
Ｈ  調節用孔
【図１】
2014001544.tif 000003
【図２】
2014001544.tif 000004
【図３】
2014001544.tif 000005
【図４】
2014001544.tif 000006